(57)【要約】【課題】  データ量の削減を軽減し、長時間の記録が行われるようにする。【解決手段】  チューナ１ａ〜１ｆで受信された映像及び音声信号が検波回路２ａ〜３ｆ、Ａ／Ｄ変換器４ａ〜５ｆを通じて圧縮回路６ａ〜７ｆで圧縮される。この圧縮された信号が記録スイッチ８ａ〜９ｆ、バッファメモリ１０ａ〜１１ｆを通じてマルチプレクサ１２で合成され、記録手段１３で記録される。一方、受信された信号の内容を識別する識別データ（ＵＩＤ）が識別回路（デコーダ）１４ａ〜１４ｆで検出され、これらの識別データが記憶回路（メモリ）１６に記憶される。そしてこのメモリ１６に記憶された記録手段１３に記録済みの信号の識別データと、デコーダ１４ａ〜１４ｆからの新たな識別データとが比較回路１５で比較され、これらが一致するときに例えば記録スイッチ８ａ〜９ｆをオフにして、対応するチューナ１ａ〜１ｆで受信された信号の記録が禁止される。【選択図】        図１ 
2005100644.tif 000002
【特許請求の範囲】
【請求項１】
複数の放送信号を受信し、
上記受信されたそれぞれの放送信号を圧縮して記録すると共に、
上記受信された放送信号の内容を識別し、
上記受信された放送信号の一の放送信号の内容を上記識別した結果、重複する放送信号が上記記録手段に記録されていたときに、
重複する上記放送信号の上記記録手段からの削除を行う
ことを特徴とする記録方法。
【請求項２】
複数の放送信号を受信する受信手段と、
上記受信されたそれぞれの放送信号を圧縮して記録する記録手段と、
上記受信された放送信号の内容を識別する識別手段とを設け、
上記受信された放送信号の一の放送信号の内容を上記識別した結果、重複する放送信号が上記記録手段に記録されていたときに、上記記録手段は、重複する上記放送信号の削除を行う
ことを特徴とする記録再生装置。
【請求項３】
上記記録手段は、記憶領域が不足する場合に、重複する放送信号の記録に上書きして他の信号を記録する
ことを特徴とする請求項２に記載の記録再生装置。
【請求項４】
記録された放送信号の一覧を表示する一覧表示手段を有し、
前記一覧表示手段は、重複する複数の番組を１つの項目として表示する
ことを特徴とする請求項２に記載の記録再生装置。
【請求項５】
上記記録手段に記録されている放送信号の識別データおよび、過去の所定の期間に再生の行われた放送信号の上記識別データを保存する保存手段をさらに設け、
上記受信された放送信号の一の放送信号の上記識別データが上記保存手段に保存されていたときには、重複する上記放送信号の上記記録手段からの削除を行う
ことを特徴とする請求項２に記載の記録再生装置。
【発明の詳細な説明】
【技術分野】
【０００１】
本発明は、例えば民生機器での放送信号の記録再生に使用して好適な記録方法及び記録再生装置に関するものである。
【背景技術】
【０００２】
従来の記録装置は、テレビ番組を受信して記録を行っている（例えば、特許文献１参照。）。
【０００３】
すなわち記録装置において、テレビ番組を受信、記録を行うものは周知である。
【特許文献１】特開平８−６５６２１号公報
【発明の開示】
【発明が解決しようとする課題】
【０００４】
例えば民生機器での放送信号の記録再生では、従来はＶＴＲが一般的に用いられているものである。しかしながらこのようなＶＴＲを用いて放送信号の記録再生を行う場合には、まず記録しようとする番組の選択、その番組の放送されるチャンネル及び放送時間帯の調査、放送されるチャンネル及び放送時間帯のＶＴＲへの設定等、極めて多岐にわたる作業を使用者が行わなければならない。
【０００５】
ところがこのような作業をして記録を行っても、記録された番組が期待のものでなかったり、また番組の終了後に所望の番組が放送されたことを知るような事態は間々生じるものである。さらにこのような記録を再生する場合においても、記録された媒体（テープ）の捜索や、番組の頭出しなどの使用者には煩雑な作業が必要となるものである。
【０００６】
このような問題に対処するため、本願出願人は先に、例えば１日２４時間に放送される全ての番組を記録し、所望のときに所望の番組を再生できるようにした装置を提案（特願平７−３４６２７０号）した。すなわちこの装置によれば、全ての番組が記録されるので、使用者は複雑な記録の準備等の作業を行う必要がなく、また再生もチャンネルと時間帯の指定のみで自動的に行うことができる。
【０００７】
ところでこのような記録再生を行う場合に、記録手段には特に迅速なアクセス性能が要求されるため、ハードディスク装置（ＨＤＤ）や大規模半導体メモリ等が採用される。その場合に、ハードディスク装置や半導体メモリでは記憶容量に限界があり、このため記録再生を行う際には、画像圧縮や間欠記録などの、記憶データ量を削減するための処理が不可欠となるものである。
【０００８】
しかしながらこのようなデータ量の削減は、大幅に行うと再生される信号の品質が損なわれるものであり、従ってこのようなデータ量の削減は可能なかぎり軽減されるようにする必要がある。また、一定以上の品質を保って信号の記録再生を行うためには、同じ記憶容量のハードディスク装置や半導体メモリでは、記録時間が短縮されてしまうことになる。
【０００９】
この出願はこのような点に鑑みて成されたものであって、解決しようとする問題点は、記録手段としてハードディスク装置や半導体メモリでは記憶容量に限界があり、記録再生を行う際に画像圧縮や間欠記録などの記憶データ量を削減する処理を行うと再生される信号の品質が損なわれる。また、品質を保って信号の記録再生を行うと記録時間が短縮されてしまうことになるというものである。
【課題を解決するための手段】
【００１０】
このため本発明においては、受信された放送信号の内容を識別し、受信された放送信号の一の放送信号の内容を識別した結果、重複する放送信号が記録手段に記録されていたときに、重複する放送信号の記録手段からの削除を行うようにするものであって、これによれば、記憶容量に限界のある記録手段を用いて記録を行う場合に、画質の劣化につながるデータ量の削減を可能なかぎり軽減し、可能なかぎり長時間の記録が行われるようにすることができる。
【発明の効果】
【００１１】
この発明によれば、受信された放送信号の内容を識別し、受信された放送信号の一の放送信号の内容を識別した結果、重複する放送信号が記録手段に記録されていたときに、重複する放送信号の記録手段からの削除を行うことによって、記憶容量に限界のある記録手段を用いて記録を行う場合に、画質の劣化につながるデータ量の削減を可能なかぎり軽減し、可能なかぎり長時間の記録が行われるようにすることができるようになった。
【発明を実施するための最良の形態】
【００１２】
すなわち本発明は、複数の放送信号を受信し、受信されたそれぞれの放送信号を圧縮して単一の記録手段に記録するようにした記録方法及び記録再生装置において、受信された放送信号の内容を識別し、受信された放送信号の一の放送信号の識別結果が記録手段に記録済みのときには、一の放送信号を除いて記録手段への記録を行うものである。
【００１３】
以下、図面を参照して本発明を説明するに、図１は本発明を適用した記録再生装置の一例の構成を示す記録系のブロック図である。
【００１４】
すなわち図１は、例えば６チャンネルの放送信号を記録再生する装置の例を示す。この図１において、６チャンネル分のチューナ１ａ〜１ｆが設けられ、これらのチューナ１ａ〜１ｆからの受信信号がそれぞれ映像検波回路２ａ〜２ｆと、音声検波回路３ａ〜３ｆに供給される。そしてこれらの検波された映像信号と音声信号が、それぞれＡ／Ｄ変換器４ａ〜４ｆ及び５ａ〜５ｆに供給される。
【００１５】
さらにデジタル化された映像信号と音声信号はそれぞれ圧縮回路６ａ〜６ｆ及び７ａ〜７ｆに供給されて、例えば任意の圧縮技術を用いた画像圧縮や、画像の動きに応じて間欠に画像を取り出す等の圧縮処理が行われる。そしてこれらの圧縮された映像信号と音声信号は、それぞれ記録スイッチ８ａ〜８ｆ及び９ａ〜９ｆを通じてバッファメモリ１０ａ〜１０ｆ及び１１ａ〜１１ｆに供給される。
【００１６】
これらのバッファメモリ１０ａ〜１０ｆ及び１１ａ〜１１ｆからの信号がマルチプレクサ１２に供給され、合成された信号がハードディスク装置（ＨＤＤ）や大規模半導体メモリ等の記録手段１３に供給される。これによって、例えば６チャンネルの放送信号が記録手段１３に記録されることになる。なお、記録は例えば記憶容量の範囲を循環して常時行われるようになされる。
【００１７】
一方、上述の映像検波回路２ａ〜２ｆからの信号がそれぞれ受信された放送信号の内容を識別する識別回路（デコーダ）１４ａ〜１４ｆに供給される。ここで放送信号の内容の識別は、例えば映像信号の垂直ブランキング期間内に設けられる識別データ（ＵＩＤ）をデコードして行うことができる。なおこのようなＵＩＤは、例えば視聴率調査などの目的で実施が検討されているものである。
【００１８】
あるいは、放送信号の内容の識別手段としては、この他に、例えばＣＡＴＶやデジタル衛星放送における番組ガイドチャンネル等に識別データ（ＵＩＤ）を挿入して伝送したり、他の公衆通信路を用いたコンピュータネットワーク等を通じて識別データ（ＵＩＤ）を伝送することも考えられる。さらに、記録された番組の映像信号または音声信号を比較して識別を行うこともできる。
【００１９】
さらに上述のデコーダ１４ａ〜１４ｆで識別された、例えば識別データ（ＵＩＤ）が比較回路１５に供給される。それと共に、例えば識別データ（ＵＩＤ）が記憶回路（メモリ）１６に供給される。そしてこの識別データ（ＵＩＤ）と、放送の日時、チャンネル番号、及び後述する上書き消去の可否等のデータがリストとして記憶回路（メモリ）１６に記憶される。
【００２０】
さらにこの記憶回路（メモリ）１６に記憶された識別データ（ＵＩＤ）と、上述のデコーダ１４ａ〜１４ｆで識別された、新たな識別データ（ＵＩＤ）が比較回路１５で比較される。そしてデコーダ１４ａ〜１４ｆからの識別データが記憶回路１６に記憶された識別データと一致するときには、例えば上述の記録スイッチ８ａ〜８ｆ及び９ａ〜９ｆをオフにする制御が行われる。
【００２１】
また、比較回路１５からの信号が制御回路１７に供給され、上述のマルチプレクサ１２及び記録手段１３においてバッファメモリ１０ａ〜１０ｆ及び１１ａ〜１１ｆからの信号を記録するための制御が行われる。すなわち、例えば識別データの比較によって一部の記録がオフ制御されている場合には、残りの信号のみを記録するようにマルチプレクサ１２及び記録手段１３の制御が行われる。
【００２２】
さらに上述のデコーダ１４ａ〜１４ｆで識別された識別データ（ＵＩＤ）や受信チャンネル番号と、制御回路１７で設定される記録手段１３上の記録アドレス、及び放送された日時等のデータが、シーケンス制御信号の発生回路１８に供給される。そしてこの発生回路１８で形成されたシーケンス制御信号が、マルチプレクサ１２に供給されて、記録信号の所定の部分（トラック）に挿入される。
【００２３】
このようにして、図１において、チューナ１ａ〜１ｆで受信された放送信号が圧縮処理されて記録手段１３に記録される。そしてさらに、このようにして記録手段１３に記録された信号の再生は、例えば図２に示すようにして行われる。すなわち図２は、本発明を適用した記録再生装置の一例の構成を示す再生系のブロック図である。
【００２４】
この図２において、任意の操作手段（図示せず）から、例えば放送の行われた日時やチャンネル番号等が指定されると、まず上述のハードディスク装置（ＨＤＤ）や大規模半導体メモリ等の記録手段１３に記録された信号が再生される。そしてこの再生信号はバッファメモリ２０を通じてデマルチプレクサ２１に供給されて、上述の映像信号及び音声信号と、シーケンス制御信号が分離される。
【００２５】
この分離されたシーケンス制御信号が読み出し回路２２に供給される。この読み出し回路２２では、上述の指定された放送の日時及びチャンネル番号等から、上述の識別データ（ＵＩＤ）や記録手段１３上の記録アドレスが読み出される。そしてこの読み出された記録アドレスが上述の制御回路１７に供給され、記憶回路（メモリ）１６との共同によって記録手段１３が再生される。
【００２６】
すなわち所望の番組の放送の日時及びチャンネル番号が指定されると、例えば対応する日時のシーケンス制御信号が検索され、所望の番組の識別データ（ＵＩＤ）が読み出される。そして記憶回路（メモリ）１６から同じ識別データ（ＵＩＤ）の記録の日時及びチャンネル番号が取り出され、この記録信号がシーケンス制御信号に従って記録手段１３から再生される。
【００２７】
これによって記録手段１３から所望の信号が再生される。さらにこの再生信号はバッファメモリ２０を通じてデマルチプレクサ２１に供給されて、所望の映像信号及び音声信号が分離される。そしてこれらの分離された映像信号及び音声信号がそれぞれ圧縮を復元するデコーダ２３、２４に供給され、上述の記録時の画像圧縮、間欠の画像の取り出し等に応じた伸張、補間等のデコードが行われる。
【００２８】
さらにデコードされた映像信号は、例えばＮＴＳＣ方式のエンコーダ２５に供給される。そして例えばＮＴＳＣ方式に従ってエンコードされた映像信号が、Ｄ／Ａ変換器２６でアナログ信号に変換されて再生映像信号の出力端子２７に取り出される。また、デコードされた音声信号は、Ｄ／Ａ変換器２８でアナログ信号に変換されて再生音声信号の出力端子２９に取り出される。
【００２９】
このようにして、図２において、記録手段１３に記録された信号が、圧縮処理を復元されて出力端子２７、２９に取り出される。すなわち図１、図２の全体を通じて、チューナ１ａ〜１ｆで受信された放送信号が圧縮処理されて記録手段１３に記録され、記録された信号が圧縮処理を復元されて出力端子２７、２９に取り出される。
【００３０】
そしてこの記録の際に、受信された放送信号の内容を識別し、同じ内容の放送信号が受信された場合には記録手段への記録を行わないようにすることによって、記憶容量に限界のある記録手段を用いて記録を行う場合に、画質の劣化につながるデータ量の削減を可能なかぎり軽減し、可能なかぎり長時間の記録が行われるようにすることができる。
【００３１】
また再生の際には、放送の日時やチャンネル番号等の指定に従って例えばシーケンス制御信号が読み出され、この中の識別データ（ＵＩＤ）に従って記録手段に記録された信号が圧縮処理を復元されて取り出されることによって、使用者は所望の番組の放送の日時やチャンネル番号等を指定するだけで、その番組の再生を行うことができる。
【００３２】
さらに、図３は上述の記録及び再生時の動作をフローチャートで示したものである。この図３のＡにおいて記録がスタートされると、まずステップ〔Ａ１〕で受信された放送信号の識別データ（ＵＩＤ）がデコードされる。次に、ステップ〔Ａ２〕で上述のシーケンス制御信号が形成されて記録される。さらにステップ〔Ａ３〕で識別データが記録済の識別データと比較照合される。
【００３３】
ここで記録済の識別データが有るときは、このまま動作は終了される。一方、ステップ〔Ａ３〕で記録済のデータが無いときは、ステップ〔Ａ４〕で受信された放送信号の映像信号と音声信号がハードディスク装置（ＨＤＤ）や大規模半導体メモリ等の記録手段１３に記録される。さらにステップ〔Ａ５〕で識別データ（ＵＩＤ）を記憶回路（メモリ）１６に記憶して動作は終了される。
【００３４】
なお、このフローチャートは１チャンネル分のみを示したものであって、例えば上述の６チャンネルの記録を行う場合には、このフローチャートがチャンネルの数だけ並行に実行されるものである。ただしその場合に、記憶回路（メモリ）１６に記憶される識別データ（ＵＩＤ）のリストは、各フローチャートを縦断して設けられ、それぞれのフローチャートから比較照合されるものである。
【００３５】
さらに図３のＢは再生時の動作を示す。この図において再生がスタートされると、まずステップ〔Ｂ１〕で所望の放送の日時及びチャンネルが設定される。次にステップ〔Ｂ２〕でシーケンス制御信号が再生され、ステップ〔Ｂ３〕で識別データ（ＵＩＤ）が参照される。そしてステップ〔Ｂ４〕で読み出された記録アドレスが記録手段１３で検索され、ステップ〔Ｂ５〕で再生が開始される。
【００３６】
さらにステップ〔Ｂ６〕で動作の停止（ストップ）が指示されたか否か判断され、指示されたとき（Ｙｅｓ）は、このまま動作は終了される。また、ステップ〔Ｂ６〕で停止が指示されていないとき（Ｎｏ）は、ステップ〔Ｂ７〕で番組の終端まで再生が行われてステップ〔Ｂ１〕に戻される。このようにして、上述の記録及び再生の動作が行われる。
【００３７】
従ってこの装置において、受信された放送信号の内容を識別し、同じ内容の放送信号が受信された場合には記録手段への記録を行わないようにすることによって、記憶容量に限界のある記録手段を用いて記録を行う場合に、画質の劣化につながるデータ量の削減を可能なかぎり軽減し、可能なかぎり長時間の記録が行われるようにすることができるものである。
【００３８】
また再生の際には、放送の日時やチャンネル番号等の指定に従って例えばシーケンス制御信号が読み出され、この中の識別データ（ＵＩＤ）に従って記録手段に記録された信号が圧縮処理を復元されて取り出されることによって、使用者は所望の番組の放送の日時やチャンネル番号等を指定するだけで、その番組の再生を行うことができるものである。
【００３９】
なお上述の装置において、圧縮処理は模式的に図４に示すように行われる。すなわち図４のＡにおいて、例えば１秒間に３０フレームの記録が行われる記録手段においては、図示のように１／５秒間に６フレームが記録される。これは、例えば上述の６チャンネルの放送信号（ａ、ｂ、ｃ、ｄ、ｅ、ｆ）を、それぞれ６：１の間欠で記録することができるものである。
【００４０】
これに対して、例えば識別データ（ＵＩＤ）の一致によって１チャンネルの記録が除かれた場合には、図４のＢに示すように、５：１の間欠で記録が行われ、記録されるフレームの頻度が増して画質の劣化が軽減される。同様にして、２、３、４、５チャンネルの記録が除かれた場合には、それぞれ図４のＣ、Ｄ、Ｅ、Ｆに示すように記録が行われて画質の劣化は一層軽減されることになる。
【００４１】
従ってこの図４の説明から明らかなように、例えば記録されるチャンネル数に応じて間欠記録されるフレームの頻度を増すことによって、画質の劣化を軽減することができる。あるいは、この図４において記録されるチャンネル数に応じて各チャンネルの伝送容量が増加しているので、例えば画像圧縮の圧縮率を下げて画質の劣化が軽減されるようにすることもできる。
【００４２】
さらに図４の説明において、圧縮処理の度合いを一定にした場合には記録時間を長くすることができる。すなわちその場合に、１チャンネルが除かれた図４のＢでは記録時間が図４のＡの状態から２０％増加され、２チャンネルが除かれた図４のＣでは６６％増加される。さらに、３、４、５チャンネルが除かれた図４のＤ、Ｅ、Ｆでは、それぞれ記録時間が２倍、３倍、６倍になるものである。
【００４３】
なお、上述の画質の向上を求めるか、記録時間の延長を求めるかは、記録の用途によって異なるものであり、例えば使用者の判断によって任意に設定できるようされる。
【００４４】
また上述の装置において、シーケンス制御信号の記録は上述のように記録手段１３に記録するに限らず、例えば別個に半導体記憶装置等を設けて上述のデータを記憶するようにしてもよい。あるいは記録手段１３には、記録アドレスのみのデータを記録し、その他の情報は、別個に設けられる半導体記憶装置や、上述の記憶回路（メモリ）１６に記憶するようにしてもよい。
【００４５】
さらに上述の装置において、記録は予め除かず全て記録を行った後に、重複する記録を削除するようにしてもよい。その場合には、例えば上述の記憶回路（メモリ）１６に記憶される上書き消去の可否のデータを可にする。これによって、例えばその後に記録領域が不足する場合に、この重複する記録に上書きして他の信号が記録され、記録時間の延長が行われる。
【００４６】
ただしこの場合に、例えば上述の記憶回路（メモリ）１６の記憶を利用して、記録された番組の再生可能リスト等を表示する機能が設けられている場合には、このリストからは削除されるようにしてもよい。
【００４７】
また、上述の上書き消去の可否のデータは、例えば信号の再生が行われたときにも可にされる。さらに記録から所定の時間が経過した後にもこのデータは可にされる。これによって、再生済みの番組や所定の時間が経過した番組の記録に上書きして他の信号が記録される。ただしこの場合に、使用者の操作によってこの上書き消去の可否のデータを否のままとする手段を設けることもできる。
【００４８】
さらに上述の装置において、ハードディスク装置（ＨＤＤ）や大規模半導体メモリ等の記録手段１３では記録は常に行われており、再生は記録と同時に行われるものである。またこの場合に、記録手段１３への記録はいわゆるパケット化して行うことにより、記録再生の制御を容易にし、効率よく良好に行うことができるものである。
【００４９】
また上述の装置において、上述の記憶回路（メモリ）１６に記憶される記録されている信号の識別データ（ＵＩＤ）等のリストには、例えば過去の所定の期間に再生の行われた信号の識別データ（ＵＩＤ）も含めるようにしてもよい。これによって過去に再生された番組を再び再生する可能性は少ないので、このような番組が重複して記録されないようにすることができる。
【００５０】
さらに上述の装置において、識別データ（ＵＩＤ）は例えば番組ごとに設けるのではなく、コマーシャルや音楽番組におけるいわゆるビデオクリップごとに設けることができる。これによって、繰り返して放送されるコマーシャルやビデオクリップの重複記録を除いて、記録手段１３の記録容量を一層有効に利用できるようにすることができる。
【００５１】
また上述の装置において、上述のチューナ１ａ〜１ｆには、例えば外部入力が切り換えて接続されるような手段を設けることができる。また、これらのチューナ１ａ〜１ｆは上述のテレビジョン信号の受信に限らず、例えばデジタルによる音楽放送やゲーム等の通信放送にも適用できるものである。従ってこの場合には、例えば同じ音楽やゲーム等の重複記録を除くことができる。
【００５２】
こうして上述の記録方法及び記録再生装置によれば、複数の放送信号を受信し、受信されたそれぞれの放送信号を圧縮して記録すると共に、受信された放送信号の内容を識別し、受信された放送信号の一の放送信号の内容を識別した結果、重複する放送信号が記録手段に記録されていたときに、重複する放送信号の記録手段からの削除を行うことにより、可能なかぎり良好な記録を行うことができるものである。
【００５３】
なお本発明は、上述の説明した実施形態に限定されるものではなく、本発明の精神を逸脱することなく種々の変形が可能とされるものである。
【図面の簡単な説明】
【００５４】
【図１】本発明の適用される記録再生装置の記録系の一例の構成図である。
【図２】本発明の適用される記録再生装置の再生系の一例の構成図である。
【図３】その説明のためのフローチャート図である。
【図４】その説明のための図である。
【符号の説明】
【００５５】
１ａ〜１ｆ…チューナ、２ａ〜２ｆ…映像検波回路、３ａ〜３ｆ…音声検波回路、４ａ〜４ｆ，５ａ〜５ｆ…Ａ／Ｄ変換器、６ａ〜６ｆ，７ａ〜７ｆ…圧縮回路、８ａ〜８ｆ，９ａ〜９ｆ…記録スイッチ、１０ａ〜１０ｆ，１１ａ〜１１ｆ…バッファメモリ、１２…マルチプレクサ、１３…記録手段、１４ａ〜１４ｆ…識別回路（デコーダ）、１５…識別データの比較回路、１６…識別データの記憶回路（メモリ）、１７…制御回路、１８…シーケンス制御信号の発生回路
【図１】
2005100644.tif 000003
【図２】
2005100644.tif 000004
【図３】
2005100644.tif 000005
【図４】
2005100644.tif 000006